(57)【要約】【課題】首輪などのリングが操作部材を係留具本体の開口を開放する方向に回動させることを確実に防止し、リングが離脱して動物が不用意に逃げ出すのを防止する。【解決手段】基部２１にフック部２２が一体に設けられ、基部２１とフック部２２先端との間に開口が形成された係留具本体２と、係留具本体２の基部２１に軸ピン３を介して回動自在に軸支され、係留具本体２のフック部２２先端に対してほぼ摺接可能な外周面を有する操作部材４と、操作部材４の一端縁を係留具本体２のフック部２２に当接する方向に付勢するねじりコイルばねとから構成される。そして、操作部材４がねじりコイルばねの付勢力により係留具本体２のフック部２２に当接して開口を閉鎖するとき、操作部材４の一端部側外周面に作用するリングＲの作用点と軸ピン３の軸芯とを結ぶ線分が軸ピン３の軸芯を通過する垂線よりもフック部２２の内方に位置している。【選択図】図５
2008113607.tif 000002
【特許請求の範囲】
【請求項１】
動物の首輪などに取り付けたリングに着脱自在に係止可能な動物用係留具において、基部にフック部が一体に設けられ、基部とフック部先端との間に開口が形成された係留具本体と、係留具本体の基部に軸ピンを介して回動自在に軸支され、係留具本体のフック部先端に対してほぼ摺接可能な外周面を有する操作部材と、係留具本体の基部と操作部材との間に配設され、操作部材の一端縁を係留具本体のフック部に当接する方向に付勢するねじりコイルばねとから構成され、操作部材がねじりコイルばねの付勢力により係留具本体のフック部に当接して開口を閉鎖するとき、操作部材の一端部側外周面に作用するリングの作用点と軸ピンの軸芯とを結ぶ線分が軸ピンの軸芯を通過する垂線よりもフック部の内方に位置することを特徴とする動物用係留具。
【請求項２】
前記操作部材がねじりコイルばねの付勢力により係留具本体のフック部に当接して係留具本体の開口を閉鎖するとき、操作部材の他端部側外周面がフック部先端の外方に位置して操作部に形成される一方、操作部を除く操作部材の一端部側外周面の曲率半径が軸ピンの軸芯とフック部先端を結ぶ線分の長さ以下に設定されることを特徴とする請求項１記載の動物用係留具。
【請求項３】
前記係留具本体の基部およびフック部の基端部が薄肉に形成されるとともに、操作部材が外周面近傍を除いて薄肉に形成され、係留具本体の基部の薄肉部およびフック部の薄肉部にわたって操作部材の薄肉部が配置されるとともに、その一端縁が係留具本体のフック部に当接されることを特徴とする請求項１または２記載の動物用係留具。
【発明の詳細な説明】
【技術分野】
【０００１】
この発明は、主として犬や猫などの動物の首輪、胴ベルトなどに取り付けられるリングに着脱自在に連結される動物用係留具に関するものである。
【背景技術】
【０００２】
一般に、犬や猫などの愛玩動物を係留するチェーンやリードには、先端に係留具が設けられており、この係留具を、動物の首輪などに取り付けたＤ環と称されるリングに係止し、動物を散歩させるようにしている。
【０００３】
このような係留具１００としては、図６に示すように、フック部１０２を有する係留具本体１０１と、係留具本体１０１に摺動自在に嵌挿されたピン部１０４を有する係止ピン１０３と、係止ピン１０３を係留具本体１０１の開口１０１ａを閉鎖する方向に付勢するスプリング（図示せず）とから構成されている。そして、係留具本体１０１の側面側にスリット１０１ｘを形成するとともに、スリット１０１ｘを通して係止ピン１０３と一体の操作部１０５を係留具本体１０１の側面側に配置し、操作部１０５を指などによってスプリングの付勢力に抗して引き下げ操作することにより、係止ピン１０３を引き下げて係留具本体１０１の開口１０１ａを開放し、その開口１０１ａを通して首輪などのリングＲに係留具１００を係止し、あるいは、首輪などのリングＲから係留具１００を離脱するようにしている（例えば、特許文献１，２参照）。
【特許文献１】特開昭６２−２８８７１１号公報
【特許文献２】特開２００２−３１５４６４号公報
【発明の開示】
【発明が解決しようとする課題】
【０００４】
ところで、前述した動物用係留具を動物に取り付けた首輪などのリングに係止した際において、動物が寝転んでじゃれたり、暴れたりすると、意図することなく首輪などのリングが係留具から離脱し、係留していた動物が逃げ出すことがあった。何故リングが係留具から離脱するのか、詳細な理由は不明であるが、概略次のように考えられる。
【０００５】
係留具がリングを係止した場合において、リングは、係留具本体のフック部および係止ピンのピン部に沿って周方向に移動可能であるとともに、内外方向に移動可能である他、フック部およびピン部の回りに回転可能であり、さらに、フック部およびピン部の軸線に対してその周方向の任意の位置において傾斜可能となっている。このため、図６に示すように、動物が寝転んでじゃれたり、暴れたりした際に、係留具本体の側面側に配置された操作部にリングが係合し、両者が係合した状態で、こじりなどの何らかの理由でリングが係留具本体の開口を開放する方向である下方に移動するとき、操作部を介してピン部が同方向に移動されて開口が開放され、開放された開口を通してリングが離脱すると考えられる。
【０００６】
なお、フック部を有する係留具本体に係止レバーを回動自在に設け、係留具本体の開口をねじりコイルばねの付勢力によって係止レバーをフック部の先端に当接させて通常閉鎖し、必要に応じてフック部の先端に対する係止レバーの当接を解除して開口を開放可能な係留具も知られているが、係止レバーとフック部とが点接触しているにすぎず、係止レバーとリングが干渉して開口を開放する方向に簡単に回動させるおそれがある。
【０００７】
本発明は、このような問題点に鑑みてなされたもので、首輪などのリングが操作部材を係留具本体の開口を開放する方向に回動させることを確実に防止し、意図することなく係留具本体の開口が形成されてリングが離脱し、動物が不用意に逃げ出すのを防止することのできる動物用係留具を提供するものである。
【課題を解決するための手段】
【０００８】
本発明は、動物の首輪などに取り付けたリングに着脱自在に係止可能な動物用係留具において、基部にフック部が一体に設けられ、基部とフック部先端との間に開口が形成された係留具本体と、係留具本体の基部に軸ピンを介して回動自在に軸支され、係留具本体のフック部先端に対してほぼ摺接可能な外周面を有する操作部材と、係留具本体の基部と操作部材との間に配設され、操作部材の一端縁を係留具本体のフック部に当接する方向に付勢するねじりコイルばねとから構成され、操作部材がねじりコイルばねの付勢力により係留具本体のフック部に当接して開口を閉鎖するとき、操作部材の一端部側外周面に作用するリングの作用点と軸ピンの軸芯とを結ぶ線分が軸ピンの軸芯を通過する垂線よりもフック部の内方に位置することを特徴とするものである。
【０００９】
本発明によれば、動物に取り付けた首輪などのリングに係留具を係止した際において、リングが係留具本体のフック部に沿って移動し、係留具本体のフック部の先端内面および操作部材の外周面による隅角部において操作部材を下方に押圧したとしても、その作用点と軸ピンの軸芯とを結ぶ線分は、軸ピンの軸芯を通過する垂線よりもフック部の内方に位置することにより、操作部材を回動させる力は、ねじりコイルバネの付勢力による操作部材の回動方向と一致し、係留具本体の開口を開放させることがない。
【００１０】
この結果、リングが操作部材を係留具本体の開口を開放する方向に回動させることはなく、飼い主が意図しないにも関わらず係留具本体の開口が開放されてリングが離脱し、動物が不用意に逃げ出すのを防止することができる。
【００１１】
本発明において、前記操作部材がねじりコイルばねの付勢力により係留具本体のフック部に当接して係留具本体の開口を閉鎖するとき、操作部材の他端部側外周面がフック部先端の外方に位置して操作部に形成される一方、操作部を除く操作部材の一端部側外周面の曲率半径が軸ピンの軸芯とフック部先端を結ぶ線分の長さ以下に設定されることが好ましい。これにより、操作部材の一端部側外周面に接触したリングは、操作部材の一端部側外周面とフック部の先端内面とで形成される隅角部に留まることなくその外周面に沿ってフック部と当接している一端縁方向、すなわち、開口から離れる方向に滑落し、開口から離脱する機会が減少するものとなる。
【００１２】
本発明において、前記係留具本体の基部およびフック部の基端部が薄肉に形成されるとともに、操作部材が外周面近傍を除いて薄肉に形成され、係留具本体の基部の薄肉部およびフック部の薄肉部にわたって操作部材の薄肉部が配置されるとともに、その一端縁が係留具本体のフック部に当接されることが好ましい。これにより、リングが、係留具本体のフック部に沿って移動し、操作部材の一端縁側外周面およびフック部の内面による隅角部において、操作部材を下方に押圧したとしても、フック部の薄肉部と操作部材の薄肉部とが嵌まり込んだ状態で重なっていることにより、リングの入り込む隙間が発生せず、操作部材を意図することなく係留具本体の開口を開放する方向に回動させることがない。
【発明の効果】
【００１３】
本発明によれば、首輪などのリングが操作部材を係留具本体の開口を開放する方向に回動させることを確実に防止し、意図することなく係留具本体の開口が形成されてリングが離脱し、動物が不用意に逃げ出すのを防止することができる。
【発明を実施するための最良の形態】
【００１４】
以下、本発明の実施の形態を図面に基づいて説明する。
【００１５】
図１乃至図４には、本発明の動物用係留具１の一実施形態が示されている。
【００１６】
この係留具１は、開口２ａを有する係留具本体２と、係留具本体２に軸ピン３を介して回動自在に軸支された操作部材４と、係留具本体２の開口２ａを閉鎖する方向に操作部材４を付勢するねじりコイルばね５と、係留具本体２に連結されてリードなどと連結可能な係止環６とから構成され、軸ピン３の端部がかしめられることにより、ねじりコイルばね５を収容した係留具本体２および操作部材４は、離脱が阻止されて一体に連結されている。
【００１７】
なお、係留具１を構成する係留具本体２、操作部材４および係止環６は、例えば、亜鉛合金などから形成されている。
【００１８】
係留具本体２は、正面より見て略アーチ形状の基部２１と、基部２１の外周面上部に一体に設けられた鉤状のフック部２２と、基部２１の下端に一体に設けられた軸部２３と、からなり、基部２１とフック部２２の先端との間に開口２ａが形成され、この開口２ａを通して動物の首輪などに取り付けられたリングＲ（図５参照）を挿入し、あるいは、離脱させることができる。そして、係留具本体２の基部２１には、その略中心部において、軸ピン３を挿通可能な挿通穴２１ａが形成されるとともに、該挿通穴２１ａの軸芯と一致する軸芯を有してねじりコイルばね５を配設可能な収容穴２１ｂが形成され、さらに、ねじりコイルばね５の一端側腕部５ａを係止可能な係止溝２１ｃが形成されている。
【００１９】
ここで、係留具本体２の基部２１は、操作部材４が配置される表面側が厚みの半分だけ切除された薄肉部２１１に形成されており、後述するように、操作部材４の薄肉部４１が配置されるようになっている。
【００２０】
一方、係留具本体２のフック部２２は、基部２１に連続する基端部の表面側が厚みの半分だけ切除された薄肉部２２１に形成されており、前述した基部２１の薄肉部２１１と連続する平面を形成するように設定されている。また、係留具本体２のフック部２２は、その先端近傍部が他の部分よりも広幅の広幅部２２２に形成されるとともに、広幅部２２２の下方側外面が切り欠かれて切欠部２２ａに形成されている。このフック部２２の広幅部２２２は、その外面の接線が係留具本体２の基部２１に配設された操作部材４の他端部側外周面の先端を通過するように設定されている。
【００２１】
なお、係留具本体２の軸部２３には、リードなどを連結する係止環６がその軸芯回りに回転自在に連結されている。
【００２２】
操作部材４は、正面より見て略扇形状に形成され、その下端部には、軸ピン３を挿通可能な挿通穴４ａが形成されるとともに、該挿通穴４ａの軸芯と一致する軸芯を有してねじりコイルばね５を配設可能な収容穴（図示せず）が形成され、さらに、ねじりコイルばね５の他端側腕部５ｂを係止可能な係止溝（図示せず）が形成されている。また、操作部材４は、その上端部を残して、裏面側が厚みの半分だけ切除された薄肉部４１（図４参照）に形成されており、その挿通穴４ａを係留具本体２の基部２１の挿通穴２１ａに合わせて基部２１の薄肉部２１１およびフック部２２の薄肉部２２１にわたって操作部材４の薄肉部４１を重ねて配置した際、厚み方向にほぼ対称となるように設定されている。さらに、操作部材４の外周面の曲率半径は、係留具本体２における基部２１に形成された挿通穴２１ａの軸芯とフック部２２の先端とを結ぶ線分の長さを基準として、その一端部側外周面の曲率半径が基準の線分長さよりも若干小さく設定され、その他端部側外周面の曲率半径が基準の線分長さとほぼ等しく設定されている。
【００２３】
すなわち、係留具本体２の基部２１の挿通穴２１ａに軸ピン３を挿通した後、軸ピン３にねじりコイルばね５を挿通して収容穴２１ｂに収容するとともに、その一端側腕部５ａを係止溝２１ｃに差し込んだ状態で、ねじりコイルばね５の他端側腕部５ｂを操作部材４の係止溝に差し込んでねじりコイルばね５を収容穴に収容しつつ、その挿通穴４ａを軸ピン３に挿通し、操作部材４を係留具本体２の基部２１の薄肉部２１１およびフック部２２の薄肉部２２１にわたって配置し、軸ピン３の先端をかしめて係留具本体２および操作部材４を一体に連結した場合、操作部材４はその一端縁がねじりコイルバネ５のねじり力によってフック部２２に当接する方向に付勢され、その状態において、フック部２２の先端は、操作部材４の外周面における周方向の略中間部にわずかな隙間をおいて対向しており、その対向部を基準として、フック部２２の内方に位置する一端部側外周面の曲率半径は、挿通穴２１ａの軸芯とフック部２２の先端とを結ぶ線分の長さよりも若干小さく設定され、また、フック部２２の外方に位置する他端部側外周面は操作部４２に形成されて、その曲率半径は、挿通穴２１ａの軸芯とフック部２２の先端とを結ぶ線分の長さとほぼ等しく設定されている。しかも、挿通穴２ａ，４ａの軸芯とフック部２２の先端内面とを結ぶ直線は、挿通穴２ａ，４ａの軸芯を通過する垂直線と重なるか、フック部２２の内方に位置するように設定されている。したがって、ねじりコイルばね５の付勢力に抗して操作部材４をその一端縁がフック部２２から離隔する方向に軸ピン３回りに回動させるとき、フック部２２の先端と操作部材４の外周面との間隔は大きくなり、支障なく回動させることができる。また、操作部材４の一端縁がフック部２２と当接している状態において、リングＲが操作部材４の一端部側外周面に接触した場合、リングＲを介して操作部材４に作用する押圧力は、操作部材４の一端縁をフック部２２と当接する方向に操作部材４を回動させるものとなる他、リングＲを操作部材４の一端部側外周面に沿ってフック部２２と当接する一端縁方向に滑落させるものとなる。
【００２４】
なお、操作部材４の他端部側外周面には、操作部４２として、指が滑らないように、摩擦抵抗を増大させる凹凸模様が形成されることが好ましい。
【００２５】
次に、このように構成された係留具１の作動について説明する。
【００２６】
まず、動物の散歩などにおいて、操作部材４の操作部４２である他端部側外周面に親指の腹を載せ、ねじりコイルばね５の付勢力に抗して操作部材４を図４に示すように、反時計回り方向に回動させ、係留具本体２の開口２ａを開放する。この際、係留具本体２のフック部２２には、切欠部２２ａが形成されていることにより、操作部材４の操作部４２に親指を支障なく載置することができる。
【００２７】
次いで、開放された係留具本体２の開口２ａを通して動物の首輪に取り付けられたリングＲをフック部２２の内方に配置した後、操作部４２から指先を離せば、操作部材４はねじりコイルばね５の付勢力によって図４において時計回り方向に回動し、フック部２２に操作部材４の一端縁が当接し、係留具本体２の開口２ａを閉鎖する。
【００２８】
これにより、動物に装着された首輪のリングＲに係留具１を係止することができ、また、係留具１の係止環６にリードなどを連結することにより、飼い主は、リードなどを把握して動物を散歩させることができる。
【００２９】
ここで、動物が飼い主よりも先行し、リードなどを牽引するときには、リングＲは係留具１のフック部２２の上部と係止し、係留具１から外れることはない。
【００３０】
一方、このような散歩の過程において、動物が寝転んでじゃれたり、暴れたりすることにより、リングＲが係留具本体２のフック部２２に沿って移動し、操作部材４の一端部側外周面とフック部２２の先端内面とで形成される隅角部に達し、該隅角部を中心として下方に向けて押圧したとしても、その作用点と軸ピン３の軸芯とを結ぶ線分は、図５に示すように、軸ピン３の軸芯を通過する垂線よりもフック部２２の内方に位置することにより、操作部材４を回動させる力は、ねじりコイルバネ５の付勢力による操作部材４の回動方向と一致し、係留具本体２の開口２ａを開放させることがない。このため、リングＲが操作部材４を係留具本体２の開口２ａを開放する方向に回動させることはなく、すなわち、飼い主が意図しないにも関わらず、係留具本体２の開口２ａが開放されることがなく、係留具１からのリングＲの離脱、すなわち、動物が不用意に逃げ出すことを確実に防止することができる。
【００３１】
しかも、操作部材４の外周面に接触したリングＲは、その一端部側外周面の曲率半径が、軸ピン３の軸芯とフック部２２の先端とを結ぶ線分の長さよりも若干小さく設定されているため、操作部材４の一端部側外周面とフック部２２の先端内面とで形成される隅角部に留まることがなく、その外周面に沿ってフック部２２と当接している一端縁方向、すなわち、開口２ａから離れる方向に滑落し、開口２ａから離脱する機会が減少するものとなる。
【００３２】
また、リングＲが係留具本体２のフック部２２に沿って移動し、操作部材４の一端縁側外周面とフック部２２の内面とで形成される隅角部に達し、該隅角部を中心として下方に向けて押圧したとしても、フック部２２の薄肉部２２１と操作部材４の薄肉部４１とが嵌まり込んだ状態で重なっていることにより、リングＲが入り込む隙間が発生せず、リングＲが操作部材４に係合することが防止される。したがって、他方の隅角部においても、操作部材４を意図することなく係留具本体２の開口２ａを開放する方向に回動させることがない。
【００３３】
さらに、フック部２２の外面に沿ってリードなどが滑落したとしても、フック部２２の先端近傍には広幅部２２２が形成されて、その延長線上には操作部材４の操作部４２が存在しないため、広幅部２２２から滑落したリードなどが操作部材４の操作部４２に接触して操作部材４を係留具本体２の開口２ａを開放する方向に回動させることもない。
【００３４】
なお、前述した実施形態においては、操作部材４の外周面のうち、フック部２２の先端と対向する位置を基準として、フック部２２の内方に位置する一端部側外周面の曲率半径を、軸ピン３の軸芯とフック部２２の先端とを結ぶ線分の長さよりも小さく設定した場合を説明したが、フック部２２と対向する位置が操作部材の外周面の頂点となる場合は、軸ピン３の軸芯とフック部２２の先端とを結ぶ線分の長さと等しくてもよい。すなわち、操作部材４の外周面の頂点をフック部２２の先端と対向するように配設する場合には、その外周面の曲率半径を、軸ピン３の軸芯とフック部２２の先端とを結ぶ線分の長さとほぼ等しく設定してもよい。このような場合も、操作部材４の外周面は、フック部２２と当接する一端縁方向に向かって下り勾配となることから、リングＲがフック部２２の先端内面とで形成される隅角部に留まることが防止される。
【図面の簡単な説明】
【００３５】
【図１】本発明の動物用係留具の一実施形態を示す斜視図である。
【図２】図１の動物用係留具の分解斜視図である。
【図３】図１の動物用係留具の側面図である。
【図４】図１の動物用係留具の操作部材の作動を説明する背面図である。
【図５】図１の動物用係留具の操作部材に対するリングの作用を説明する正面図である。
【図６】従来の動物用係留具に対するリングの移動に伴う開口の開放要領を説明する斜視図である。
【符号の説明】
【００３６】
１  係留具
２  係留具本体
２１  基部
２１１  薄肉部
２２  フック部
２２１  薄肉部
３  軸ピン
４  操作部材
４１  薄肉部
４２  操作部
３３  操作部
５  ねじりコイルばね
Ｒ  リング
【図１】
2008113607.tif 000003
【図２】
2008113607.tif 000004
【図３】
2008113607.tif 000005
【図４】
2008113607.tif 000006
【図５】
2008113607.tif 000007
【図６】
2008113607.tif 000008